(57)【要約】【課題】  意匠性を損なうことなく貼着部分にかかる負担を軽減し、且つ装飾モールの有無をユーザーが好みに応じて選択できる自動車用サイドバイザーを提供する。【解決手段】  自動車用サイドバイザー１は、庇体２３を有しており、長尺帯状に形成されたバイザー本体２０と、このバイザー本体２０の上端縁２１に沿って窓枠３１に直接的に取り付けられる装飾モール１０とが、別体に設けられていることにより、装飾モール１０が窓枠３１に貼着されるため段差が軽減され、意匠性を損なうことがなくなる。また、バイザー本体２０も窓枠３１に貼着されるため貼着部分にかかる負担が軽減され、その結果、貼着部分の強度を高めることができる。他にも、装飾モール１０の有無をユーザーが好みに応じて選択することが可能である。【選択図】図１
2018122820.tif 000002
【特許請求の範囲】
【請求項１】
日除けや雨除けとして用いられ、自動車の窓枠に取り付け可能な自動車用サイドバイザーであって、
庇体を有しており、長尺帯状に形成されたバイザー本体と、当該バイザー本体の上端縁に沿って前記窓枠に直接的に取り付けられる装飾モールとが、別体に設けられていることを特徴とする自動車用サイドバイザー。
【請求項２】
前記バイザー本体の前方或いは後方の上端縁には、前記装飾モールの端縁を覆う被覆体が設けられたことを特徴とする請求項１に記載の自動車用サイドバイザー。
【請求項３】
前記被覆体が、前記バイザー本体と別体に設けられ、前記装飾モールに貼着されたことを特徴とする請求項２に記載の自動車用サイドバイザー。
【請求項４】
前記被覆体が、前記バイザー本体に係止可能に形成した係止片を設けたものであることを特徴とする請求項３に記載の自動車用サイドバイザー。
【請求項５】
前記装飾モールが、前記バイザー本体に係止可能に形成した係止片を設けたものであることを特徴とする請求項１に記載の自動車用サイドバイザー。
【請求項６】
前記装飾モールが引き抜き材からなることを特徴とする請求項１乃至５の何れかに記載の自動車用サイドバイザー。
【請求項７】
前記装飾モールの下端縁が、前記バイザー本体の上端縁に対応する形状に形成されたことを特徴とする請求項１乃至６の何れかに記載の自動車用サイドバイザー。
【発明の詳細な説明】
【技術分野】
【０００１】
本発明は、自動車の窓枠に取り付けられる自動車用サイドバイザーに関するものである。
【背景技術】
【０００２】
従来より、自動車用サイドバイザーのモールとしては、サイドドアバイザの表面に形成された取付部に、両面テープ等により直接貼着する構造が知られている（特許文献１）。
【０００３】
しかし、このような構造では、モール表面と車両表面との段差が大きくなってしまい、一体感が損なわれることから見栄えが悪くなり、意匠性が低くなるという問題があった。
【０００４】
これに対し、庇部と鍔部とを個別に構成した自動車用サイドバイザーで、鍔部を金属により形成したものでは、モールを直接車両側に貼着し、段差を極力少なくすることが可能である（特許文献２）。
【先行技術文献】
【特許文献】
【０００５】
【特許文献１】特開２００８−２８４９２７号公報
【特許文献２】ＷＯ／２００５／０９０１０７号公報
【発明の概要】
【発明が解決しようとする課題】
【０００６】
しかしながら、このような自動車用サイドバイザーでは、見栄えが良く意匠性が高いものの、バイザー本体を装飾モールに貼着するため、装飾モールと車両との貼着部分にかかる負担が大きくなり、貼着部分の強度が低下するという問題があった。
また、何れの自動車用サイドバイザーにおいても、製造時に装飾モールとバイザー本体とが一体化されるので、ユーザーが好みに応じて装飾モールの有無を選択することができなかった。
【０００７】
そこで、本発明の目的は、上記従来の自動車用サイドバイザーの段差の問題を解消し、意匠性を損なうことなく貼着部分にかかる負担を軽減し、且つ装飾モールの有無をユーザーが好みに応じて選択できる自動車用サイドバイザーを提供することにある。
【課題を解決するための手段】
【０００８】
本発明のうち、請求項１に記載された発明は、日除けや雨除けとして用いられ、自動車の窓枠に取り付け可能な自動車用サイドバイザーであって、庇体を有しており、長尺帯状に形成されたバイザー本体と、当該バイザー本体の上端縁に沿って前記窓枠に直接的に取り付けられる装飾モールとが、別体に設けられていることを特徴とするものである。
請求項２に記載された発明は、請求項１に記載の発明に加え、前記バイザー本体の前方或いは後方の上端縁に、前記装飾モールの端縁を覆う被覆体が設けられたことを特徴とするものである。
請求項３に記載された発明は、請求項２に記載の発明に加え、前記被覆体が、前記バイザー本体と別体に設けられ、前記装飾モールに貼着されたことを特徴とするものである。
請求項４に記載された発明は、請求項３に記載の発明に加え、前記被覆体が、前記バイザー本体に係止可能に形成した係止片を設けたものであることを特徴とするものである。
請求項５に記載された発明は、請求項１に記載の発明に加え、前記装飾モールが、前記バイザー本体に係止可能に形成した係止片を設けたものであることを特徴とするものである。
請求項６に記載の発明は、請求項１乃至５の何れかに記載の発明に加え、前記装飾モールが引き抜き材からなることを特徴とするものである。
請求項７に記載の発明は、請求項１乃至６の何れかに記載の発明に加え、前記装飾モールの下端縁が、前記バイザー本体の上端縁に対応する形状に形成されたことを特徴とするものである。
【発明の効果】
【０００９】
請求項１に記載された発明は、装飾モールが窓枠に貼着されるため段差が軽減され、意匠性を損なうことがなくなる。また、バイザー本体も窓枠に貼着されるため貼着部分にかかる負担が軽減され、その結果、貼着部分の強度を高めることができる。他にも、装飾モールの有無をユーザーが好みに応じて選択することが可能である。
【００１０】
請求項２，３に記載された発明は、装飾モールの端部が、被覆体によって被覆されることから、端部の露出による見栄えの悪化を防止する。
【００１１】
請求項４に記載された発明は、被覆体のバイザー本体への取付が容易で、取付後は外部から目立たない構造であり、外観を損なうこともない。また、バイザー本体に装飾モールを取り付ける際の位置合わせを、容易かつ確実に行うことが可能である。
【００１２】
請求項５に記載された発明は、バイザー本体への取付が容易で、取付後は外部から目立たない構造であり、外観を損なうこともない。また、バイザー本体に装飾モールを取り付ける際の位置合わせを、容易かつ確実に行うことが可能である。
【００１３】
請求項６に記載された発明は、製造が容易で安価にすることができる。
【００１４】
請求項７に記載された発明は、バイザー本体と装飾モールとの一体感が高まり、意匠性をより一層高めることができる。
【図面の簡単な説明】
【００１５】
【図１】（ａ）窓枠に自動車用サイドバイザーを取り付けた後の状態の全体図を、（ｂ）は窓枠に自動車用サイドバイザーを取り付ける前の状態の全体図を示し、（ｃ）は（ａ）のＡ−Ａ線断面を、（ｄ）は（ｃ）の一部を拡大した状態を示す説明図である。
【図２】（ａ）は自動車用サイドバイザーの変更例を示し、（ｂ）は（ａ）の先端部を拡大した状態を示す説明図である。
【図３】（ａ）〜（ｄ）は、図２（ｂ）の各断面を示す説明図である。
【図４】被覆体の変更例を示す説明図である。
【図５】（ａ）は被覆体の変更例を示し、（ｂ）は（ａ）のＦ−Ｆ線断面を示す説明図である。
【図６】装飾モールの変更例で、窓枠に自動車用サイドバイザーを取り付ける前の状態の全体図を示す説明図である。
【発明を実施するための形態】
【００１６】
以下、本発明の自動車用サイドバイザーの取付構造の一実施形態について、図面に基づいて詳細に説明する。
【００１７】
図１は、自動車用サイドバイザーが窓枠に取り付けられる前後の状態を示す全体図である。
【００１８】
先ず初めに、図１（ａ）に示すように、自動車用サイドバイザー１は、自動車３０の窓枠３１に沿って取り付けられるもので、窓枠３１へ取り付けた後は日除けや雨除けとして機能するものである。
この自動車用サイドバイザー１は、図１（ｂ）（ｃ）に示すように、バイザー本体２０と、装飾モール１０とで構成される。
【００１９】
このうち、バイザー本体２０は、合成樹脂を射出成形したものである。そして、図１（ｄ）に示すように、このバイザー本体２０は、上端縁２１が円弧状に形成され、窓枠３１側に貼着面２２が設けられており、下縁側には、バイザー本体２０から連設される長尺帯状に形成された庇体２３が一体に設けられている。
一方、装飾モール１０は、塩化ビニールを溶解して押し出し成型により製造される引き抜き材で、表層に銀箔を接着したものである。この装飾モール１０は、下端縁１２がバイザー本体２０の上端縁２１の形状に対応する凹状に形成したもので、窓枠３１側には貼着面１１が設けられている。
【００２０】
このようにして構成される自動車用サイドバイザー１の窓枠３１への取り付けは、以下のように行われる。
先ず始めに、図１（ｂ）（ｃ）に示すように、バイザー本体２０の貼着面２２に両面テープ２６の一方の面を貼着した後、他方の面を窓枠３１に貼着する。
次に、装飾モール１０の貼着面１１に、両面テープ１３の一方の面を貼着した後、図１（ｄ）に示すように、他方の面を、装飾モール１０の下端縁１２をバイザー本体２０の上端縁２１に沿わせた状態で窓枠３１に貼着する。これにより、図１（ａ）に示すように、自動車用サイドバイザー１が窓枠３１に取り付けられた状態となる。
【００２１】
上記の如く構成される自動車用サイドバイザー１は、庇体２３を有しており、長尺帯状に形成されたバイザー本体２０と、このバイザー本体２０の上端縁２１に沿って窓枠３１に直接的に取り付けられる装飾モール１０とが、別体に設けられていることにより、装飾モール１０が窓枠３１に貼着されるため段差が軽減され、意匠性を損なうことがなくなる。また、バイザー本体２０も窓枠３１に貼着されるため貼着部分にかかる負担が軽減され、その結果、貼着部分の強度を高めることができる。他にも、装飾モール１０の有無をユーザーが好みに応じて選択することが可能である。
【００２２】
また、装飾モール１０が引き抜き材からなることにより、製造が容易で安価にすることができる。
【００２３】
他にも、装飾モール１０の下端縁１２が、バイザー本体２０の上端縁２１に対応する形状に形成されたことにより、バイザー本体２０と装飾モール１０との一体感が高まり、意匠性をより一層高めることができる。
【００２４】
なお、本発明にかかる自動車用サイドバイザーは、上記した実施の形態に何ら限定されるものではなく、本発明の趣旨を逸脱しない範囲で、バイザー本体や装飾モールの形状や大きさ等を適宜変更することができる。
【００２５】
例えば、バイザー本体２０の前方或いは後方の上端縁２１に、装飾モール１０の端縁を覆う被覆体２５，２５を設けても良い。これにより、装飾モール１０の端部が、被覆体２５によって被覆されることから、端部の露出による見栄えの悪化を防止する。
具体的には、図２（ａ）（ｂ）に示すように、バイザー本体２０の上端縁２１の端部に被覆体２５，２５を設ける。この場合、図３（ａ）に示すように、被覆体２５は、円弧状に形成されていることから、図３（ｂ）（ｄ）に示すように、装飾モール１０の一方の端部を被覆体２５内に挿入した後、図３（ｃ）に示すように、装飾モール１０の下端縁１２をバイザー本体２０の上端縁２１に沿わせて窓枠３１に貼着する。そして、装飾モール１０の他方の端部を、被覆体２５内に挿入する。
他にも、図２（ｂ）に示す被覆体２５は、この被覆体２５の先端部からバイザー本体２０の先端部へ向かって外形のラインが連続的となるように形成しても良い。
【００２６】
また、被覆体２５が、バイザー本体２０と別体に設けられ、装飾モール１０に貼着されるものとしても良い。これにより、装飾モール１０の端部が、被覆体２５によって被覆されることから、端部の露出による見栄えの悪化を防止する。
具体的には、図１の場合と同様に、窓枠３１にバイザー本体２０と装飾モール１０とを取り付ける。そして、図４に示すように、装飾モール１０の端部の表面に両面テープ１５を貼着し、更にその上に合成樹脂部材の被覆体２５を貼着することで、装飾モール１０の端部が被覆体２５に被覆されることとなる。
【００２７】
他にも、図５に示すように、被覆体２５が、バイザー本体２０に係止可能に形成した係止片２７を設けたものとしても良い。これにより、被覆体２５のバイザー本体２０への取付が容易で、取付後は外部から目立たない構造であり、外観を損なうこともない。また、バイザー本体２０に装飾モール１０を取り付ける際の位置合わせを、容易かつ確実に行うことが可能である。
具体的には、図５（ａ）に示すように、被覆体２５の下端縁側に板状の係止片２７を設け、図５（ｂ）に示すように、この係止片２７が、バイザー本体２０の窓枠３１側に形成された係止突起２８に係止することで、バイザー本体２０と一体になる構造である。
バイザー本体２０と装飾モール１０との窓枠３１への貼着は、以下のように行われる。
先ず始めに、被覆体２５の係止片２７を、バイザー本体２０の係止突起２８に係止してバイザー本体２０と被覆体２５とを一体に構成する。そして、貼着面２２に両面テープ２６を貼着した後、窓枠３１にバイザー本体２０を貼着する。
次に、装飾モール１０の端部を、被覆体２５内に取り付けた後、図１（ａ）（ｃ）の場合と同様に、下端縁１２を上端縁２１に沿わせた状態で窓枠３１に貼着する。
【００２８】
また、図６に示すように、装飾モール１０が、バイザー本体２０に係止可能に形成した係止片２７を設けたものとしても良い。これにより、被覆体２５のバイザー本体２０への取付が容易で、取付後は外部から目立たない構造であり、外観を損なうこともない。また、バイザー本体２０に装飾モール１０を取り付ける際の位置合わせを、容易かつ確実に行うことが可能である。
図６では、係止片２７を、装飾モール１０の下端縁１２側に設けるので、この場合も図５（ａ）の場合と同様に、係止片２７が係止突起２８に係止し、装飾モール１０がバイザー本体２０と一体になる構造となる。
【００２９】
他にも、被覆体２５は合成樹脂製に限らず、ステンレス等の金属製のものであっても良く、適宜変更可能である。
また、塩化ビニール製の装飾モール１０は柔軟性を備えており、バイザー本体２０の上端縁２１に沿わせ易いが、塩化ビニール製である必要はなく、ステンレス等の金属製のものをバイザー本体２０の上端縁２１に沿った形状に形成したものであっても良く、適宜変更可能である。
【００３０】
他にも、前部座席側（運転席側、助手席側）の窓枠３１だけでなく、後部座席側の窓枠に取り付けられるバイザー本体に対しても、装飾モールの下端縁をバイザー本体の上端縁に沿わせた状態で窓枠に貼着する構造としても良く、適宜変更可能である。
【符号の説明】
【００３１】
１・・自動車用サイドバイザー、１０・・装飾モール、１１・・貼着面、１２・・下端縁、１３・・両面テープ、１５・両面テープ、２０・・バイザー本体、２１・・上端縁、２２・・貼着面、２３・・庇体、２５・・被覆体、２６・・両面テープ、２７・・係止片、２８・・係止突起、３０・・自動車、３１・・窓枠。
【図１】
2018122820.tif 000003
【図２】
2018122820.tif 000004
【図３】
2018122820.tif 000005
【図４】
2018122820.tif 000006
【図５】
2018122820.tif 000007
【図６】
2018122820.tif 000008